(57)【要約】      （修正有）【課題】静電場処理にして保存した生鮮物をほとんど同じ条件で輸送することができ、市場における鮮度低下を少なくすることができる生鮮物輸送コンテナの提供。【解決手段】トラックＴに架装した保冷コンテナＩ内部に、周面及び底面を導電性パネルで形成し静電場発生電源に接続することにより静電場空間を構成する収納部を、保冷コンテナの壁面及び床面に絶縁体を介して設置した構造であって、静電場発生電源を収納した制御ボックスを設置するもので、保冷コンテナの一の壁面を構成して内部を２つに分割する仕切パネル２を設ける。【選択図】図１
0003140667.tif 000002
【実用新案登録請求の範囲】
【請求項１】
トラックに架装した保冷コンテナ内部に、周面及び底面を導電性パネルで形成し静電場発生電源に接続することにより静電場空間を構成する収納部を、該保冷コンテナの壁面及び床面に絶縁体を介して設置した構造であって、該静電場発生電源を収納した制御ボックスを設置するもので、該保冷コンテナの一の壁面を構成して内部を２つに分割する仕切パネルを設けたことを特徴とする生鮮物輸送用コンテナ。
【請求項２】
静電場発生電源の操作スイッチ及び作動状態表示灯を該トラックのダッシュパネルに設けた請求項１記載の生鮮物輸送用コンテナ。
【考案の詳細な説明】
【技術分野】
【０００１】
本考案は、冷却機を備えた保冷コンテナに静電場雰囲気を形成して食料品や植物などの生鮮物を輸送するコンテナに関する。
【背景技術】
【０００２】
例えば特許文献１に開示されているように、冷蔵庫内において静電場を形成し、この雰囲気内で生鮮食料品等を長期冷蔵保存する方法が広く知られている。静電場形成手段としては、高圧静電トランスを使用し、２次高圧側の１極を絶縁し、他の１極を導電性金属材料の棚やケースなどに接続する。これによって、静電誘導による陰電子が印加され、該棚に載置した生鮮食料品を静電場雰囲気内で冷蔵保存することができる。この場合の陰電子発生条件としては、高圧静電トランス１００Ｖ１次側の電流値が電極１ｍ２当たり０．０２Ａ〜５．０Ａであり、１次側電流値を満足させる２次側電圧は５００Ｖ〜２００００Ｖである。
【０００３】
冷蔵庫内に形成した静電場雰囲気内においては、通常５°〜−１°の温度域で保存するが、−３°Ｃ程度の低温でも凍結することがない。このため、凍結時における細胞破壊が生じることなく新鮮な状態で長期間保存することができ、生鮮食料品の保存にはまさに好適な保存方法である。
【特許文献１】特願２００１−２１５０７４
【考案の開示】
【考案が解決しようとする課題】
【０００４】
静電場処理により魚介類、精肉、野菜、果実、花卉などの生鮮物を長期保存することが可能となっても、流通の段階でこの形態が大きく崩れ、鮮度が著しく低下する問題が生じる。現在、冷凍機を備えた保冷コンテナが一般的に広く利用されており、生鮮物の輸送においてある程度の鮮度維持を図っているが、静電場雰囲気における保存と大きく異なる。
【０００５】
この点、保冷コンテナに静電場雰囲気を形成させる場合が考えられるが、構造的に難しい問題が生じる。つまり、静電場空間を形成するには、静電場発生電源などを設けた制御ボックスの設置が必要となるものの、保冷コンテナの外部や静電場雰囲気内に設置することは安全上の問題があり、設置箇所が著しく規制されることとなる。
【課題を解決するための手段】
【０００６】
以上のような状況に鑑み、本考案者は鋭意研究の結果遂に本考案を完成したものであり、その特徴とするところは、トラックに架装した保冷コンテナ内部に、周面及び底面を導電性パネルで形成し静電場発生電源に接続することにより静電場空間を構成する収納部を、該保冷コンテナの壁面及び床面に絶縁体を介して設置した構造であって、該静電場発生電源を収納した制御ボックスを設置するもので、該保冷コンテナの一の壁面を構成して内部を２つに分割する仕切パネルを設けたことにある。
【０００７】
ここで本明細書中でいう「導電性パネル」とは、保冷コンテナ内部に生鮮物を収納するための空間を形成するもので、内部に静電場雰囲気を形成させる部材をいう。この導電性パネルは保冷コンテナの壁面及び床面に碍子などの絶縁体を介して取り付け、周面及び底面を囲むことによって静電場空間を構成する収納部を形成する。収納部に生鮮物を収納しやすくするため、収納部に適宜棚を設けたり別体の収納具を設置してもよい。
【０００８】
「仕切パネル」とは、保冷コンテナの内部を２つに間仕切りするものであって、保冷コンテナの壁面を構成する部材をいう。この仕切パネルによって間仕切られた空間の一方側に収納部を設けることで、その空間を静電場空間として構成する。そして、該仕切パネルの他方側の面に静電場発生電源を収容した制御ボックスを静電場雰囲気から隔離された状態で設置する。
【０００９】
保冷コンテナは、基本的に後部側に観音開き等の開閉扉が設けられていることから、通常、仕切パネルの前部側（トラックのキャビン側）の空間に収納部を形成し、後部側の空間を従来の保冷空間として利用する。この場合は、保冷コンテナの側面に収容部の開閉扉を設ける必要がある。
【００１０】
静電場発生電源の操作スイッチや作動状態等を表示するランプなどは、制御ボックスに設ける他、トラックのキャビンの特にダッシュパネルに設けることで、輸送中にも運転手が操作できたり、情報が伝達できる上で効果的となる。
【考案の効果】
【００１１】
本考案において、静電場発生電源を収容した制御ボックスを、保冷コンテナの内部を間仕切る仕切パネルに設けたことにより、高電圧を発生する静電場発生電源を安全に保冷コンテナに設けることができ、輸送段階における静電場処理を確実にすることが可能となる。この結果、静電場処理して保存した生鮮物をほとんど同じ条件で輸送することができ、市場における鮮度低下を少なくすることができるなど、実用上極めて有益な効果を有するものである。
【考案を実施するための最良の形態】
【００１２】
本考案は、静電場発生電源を収容した制御ボックスを、保冷コンテナの内部を間仕切る仕切パネルに設けことで、上記課題を解決した。
【実施例１】
【００１３】
図１（ａ）（ｂ）は、トラックＴの荷台に本考案に係る生鮮物輸送用コンテナ１を架装した保冷車Ｃである。本例に示す生鮮物輸送用コンテナ１は、天井に冷却機Ｃ１を設けた構造であり、その内部を仕切パネル２で前後方向に２つの空間に間仕切っている。前部側（運転席側）の空間に静電場空間を形成する収納部３を設置し、側面に該収納部３のスライド式の開閉扉４を設けている。導電性パネル５で形成した収納部３は、同図（ｂ）及び図２に示すように、仕切パネル２で間仕切られた前部側空間の床面及び周囲の壁面に碍子６を介して設置している。
【００１４】
収納部３に静電場空間を形成させるために接続する静電場発生電源として、高電位発生トランスを内蔵した高電位発生制御装置７は、保冷コンテナを間仕切る仕切パネル２の後部側の面に設けた制御ボックス８に設けている。これにより、静電場発生電源をコンテナの内部で静電場空間から隔離して設置することができる。本例では、静電場発生電源の高電位に対する絶縁をより確実にするため、図３のように壁面及び床面にＡＢＳ樹脂などの絶縁樹脂シート９を貼り付けている。そして、碍子５はステンレス製のプレート１０を介して取り付けている。
【実施例２】
【００１５】
静電場発生電源に供給する電源は、図４に示す結線図のように車載するバッテリと冷却機Ｃ１の電源を、トラックＴのキャビンに設けたセレクタスイッチで切り換えて接続するようにしており、これらの電圧をインバータでＡＣ１００Ｖに変換している。そして、図５の結線図に示すようにスライダックを通じて静電場発生電源に接続している。図６の結線図により、収納部３の開閉扉４に設けたドアスイッチやキャビンに設けた各種操作スイッチや各種表示灯により、静電場発生電源の制御や作動状態の表示を図っている。
【図面の簡単な説明】
【００１６】
【図１】（ａ）は本考案に係る生鮮物輸送用コンテナをトラックに架装した保冷車の一実施例を示す側面図、（ｂ）は生鮮物輸送用コンテナの縦断面図である。（実施例１）
【図２】図１に示した生鮮物輸送用コンテナの内部を示す平面図である。
【図３】収納部を構成する導電性パネルの取り付け状態の一例を示す側面図である。
【図４】静電場発生電源に供給する電源の一例を示す結線図である。（実施例２）
【図５】図４の結線図から静電場発生電源に接続した状態を示す結線図である。
【図６】図５の結線図から各種スイッチ等に接続した状態を示す結線図である。
【符号の説明】
【００１７】
１  生鮮物輸送用コンテナ
２  仕切パネル
３  収納部
４  開閉扉
５  導電性パネル
６  碍子
７  高電位発生制御装置
８  制御ボックス
９  絶縁樹脂シート
１０  プレート
Ｔ  トラック
Ｃ  保冷車
Ｃ１  冷却機
【図１】
0003140667.tif 000003
【図２】
0003140667.tif 000004
【図３】
0003140667.tif 000005
【図４】
0003140667.tif 000006
【図５】
0003140667.tif 000007
【図６】
0003140667.tif 000008